(57)【特許請求の範囲】
【請求項１】
建物に足場を固定するための足場固定具の一部を構成し、建物に対して着脱可能に固定されうるブラケットであって、
本体と、
この本体に設けられた、互いに離間した少なくとも一対の係合部であって、それらの間に位置する建物の一部を把持しうるように構成された第一係合部及び第二係合部とを備えており、
少なくとも一方の係合部が、ねじ回されることによって他方の係合部に離間接近するねじ棒と、このねじ棒における他方の係合部に対向する位置に装着された押圧部とを有しており、
この押圧部が、上記ねじ棒に対してその中心軸回りに回転自在に構成され、且つ、上記建物の一部に点状又は線状で接触する接触部を有しており、
この接触部が、その接触端側が開口した円筒状を呈しており、その接触端の円周方向に沿って形成された複数箇所の切り欠き部、又は、その円筒状胴部に形成された窓部、の少なくとも一方を有しているブラケット。
【請求項２】
第三の係合部であって、上記本体における上記一対の係合部同士の間の部位との間に位置する建物の一部を把持しうるように構成された第三係合部をさらに備えており、
この第三係合部が、ねじ回されることによって、本体における上記一対の係合部同士の間の部位に離間接近するねじ棒と、このねじ棒の先端に装着された押圧部とを有しており、
この押圧部が、上記ねじ棒に対してその中心軸回りに回転自在に構成されており、且つ、上記建物の一部に対して点状又は線状で接触する接触部を有している請求項１に記載のブラケット。
【請求項３】
上記第三係合部の接触部が、その接触端側が開口した円筒状を呈しており、その接触端の円周方向に沿って形成された複数箇所の切り欠き部、又は、その円筒状胴部に形成された窓部、の少なくとも一方を有している請求項２に記載のブラケット。
【請求項４】
上記第三係合部の接触部が、互いに離間し、且つ、他方の係合部に向けて突設された、複数本の突起から構成されている請求項２に記載のブラケット。
【発明の詳細な説明】
【技術分野】
【０００１】
本発明は、足場を建物に固定するための足場固定具の主要部を構成するブラケットに関する。
【背景技術】
【０００２】
建物に外壁塗装等の補修がなされるとき、その建物の外壁面に足場が構築される。この足場は、縦パイプと横パイプとが組み合わされて構築される。この足場を建物に固定するために、足場固定具が用いられている。この足場固定具の一例が、実用新案登録第３１６４３２０号公報に開示されている。
【０００３】
図５には、上記公報の足場固定具５１が示されている。この足場固定具５１は、建物に連結するブラケット５２と、足場に連結する壁つなぎ５３とを備えている。図５には、この足場固定具５１によって建物のベランダ１００に連結された足場の縦パイプ１０４が示されている。この縦パイプ１０４は、足場の一部である。図示されていないが、この縦パイプ１０４に横パイプが組まれている。ベランダ１００はコンクリート製である。ベランダ１００は、排水溝１０１が形成された床部１０２と、この床部１０２の端縁に立設された手すり用のプレート（以下、手摺りプレートという）１０３とから構成されている。図５において、右側がベランダ１００の外側であり、左側がベランダ１００の内側である。図５では、ブラケット５２と壁つなぎ５３とが連結されている。ブラケット５２は、床部１０２の端部を把持するためのものである。壁つなぎ５３は、縦パイプ１０４を把持するためのものである。
【０００４】
図５に示されるように、上記ブラケット５２は、本体５４と、この本体５４の先端部（図中の左端側）近傍から直角をなして下方に突設された第一係合部５５と、本体４の後端部（図中の右端側）近傍から直角をなして下方に突設された第二係合部５６と、本体４の上面に設けられた連結部５７とを有している。足場固定具５１がベランダ１００に固定される際には、そのブラケット５２が、手摺りプレート１０３の下端と床部１０２の上面との間の隙間Ｄを通してベランダ１００内へ挿入される。そして、第一係合部５５と第二係合部５６とで、ベランダ１００の床部１０２の端縁が把持される。こうすることにより、ブラケット５２がベランダ１００に固定される。上記連結部５７は、ブラケット５２に壁つなぎ５３を連結するためのものである。
【０００５】
第一係合部５５の、ベランダ床部１０２に当接する部位には、円柱状の硬質ゴム製緩衝部材５８が装着されている。第二係合部５６には、可動当接部材５９が螺着されている。可動当接部材５９の先端にも、円柱状の硬質ゴム製緩衝部材６０が装着されている。この可動当接部材５９を締め込むことにより、可動当接部材５９の緩衝部材６０と第一係合部５５の緩衝部材５８とで、ベランダ床部１０２の端部が挟持される。
【先行技術文献】
【特許文献】
【０００６】
【特許文献１】実用新案登録第３１６４３２０号公報
【発明の概要】
【発明が解決しようとする課題】
【０００７】
上記足場固定具５１では、固定対象のベランダ１００に対し、可動当接部材５９の円柱状の硬質ゴム製緩衝部材６０が圧接する。その結果、ベランダ１００の外壁の塗装時には、緩衝部材６０が圧接している範囲が未塗装となってしまう。塗装面が乾燥した後、可動当接部材５９を緩めてわずかに移動させた後、再度塗装をしなければならない。また、可動当接部材５９を締め込むことにより、緩衝部材６０が回転し、ベランダ１００の外壁面に摺接する。その結果、ベランダ１００の外壁面には、硬質ゴムによる黒い汚れが付着する。従って、緩衝部材６０が圧接していた上記外壁面の範囲を未塗装のまま放置することができず、再塗装の必要が生じる。このように、いわゆる「もりかえ作業」という作業が必要となり、塗装や清掃の作業が大幅に増大する。
【０００８】
本発明は、かかる現状に鑑みてなされたものであり、建物への固定に伴う、建物の壁面の塗装及び清掃の作業の増大を招くことのない足場固定具用のブラケットを提供することを目的としている。
【課題を解決するための手段】
【０００９】
本発明に係るブラケットは、
建物に足場を固定するための足場固定具の一部を構成し、建物に対して着脱可能に固定されうるブラケットであって、
本体と、
この本体に設けられた、互いに離間した少なくとも一対の係合部であって、それらの間に位置する建物の一部を把持しうるように構成された第一係合部及び第二係合部とを備えており、
少なくとも一方の係合部が、ねじ回されることによって他方の係合部に離間接近するねじ棒と、このねじ棒における他方の係合部に対向する位置に装着された押圧部とを有しており、
この押圧部が、上記ねじ棒に対してその中心軸回りに回転自在に構成され、且つ、上記建物の一部に対して点状又は線状で接触する接触部を有している。
【００１０】
好ましくは、第三の係合部であって、上記本体における上記一対の係合部同士の間の部位との間に位置する建物の一部を把持しうるように構成された第三係合部をさらに備えており、
この第三係合部が、ねじ回されることによって本体における上記一対の係合部同士の間の部位に離間接近するねじ棒と、このねじ棒の先端に装着された押圧部とを有しており、
この押圧部が、上記ねじ棒に対してその中心軸回りに回転自在に構成されており、且つ、上記建物の一部に対して点状又は線状で接触する接触部を有している。
【００１１】
好ましくは、上記接触部が、その接触端側が開口した円筒状を呈しており、その接触端の円周方向に沿って形成された複数箇所の切り欠き部、及び、その円筒状胴部に形成された窓部、の少なくとも一方を有している。
【００１２】
好ましくは、上記接触部が、互いに離間し、且つ、他方の係合部に向けて突設された、複数本の突起から構成されている。
【発明の効果】
【００１３】
本発明に係るブラケットによれば、建物に対して狭い接触面積によって固定される。このため、建物への足場の固定に伴う外壁への塗装や清掃の作業が増大することが防止されうる。もりかえ作業が不要となりうる。
【図面の簡単な説明】
【００１４】
【図１】図１（ａ）は、建物のベランダに足場を連結した状態の、本発明の一実施形態に係る足場固定具用のブラケットを示す正面図であり、図１（ｂ）は、その平面図であり、図１（ｃ）は、その左側面図であり、図１（ｄ）は、その底面図である。
【図２】図２（ａ）は図１のブラケットにおける、第二係合部の可動当接部材の一部を示すを示す一部切り欠き正面図であり、図２（ｂ）は、その左側面図である。
【図３】図３（ａ）は、第二係合部の他の可動当接部材の一部を示すを示す一部切り欠き正面図であり、図３（ｂ）は、その左側面図である。
【図４】図４は、本発明の他の実施形態に係るブラケットを備えた足場固定具を示す正面図である。
【図５】図５は、従来のブラケットを備えた足場固定具の一例を示す正面図である。
【発明を実施するための形態】
【００１５】
以下、適宜図面が参照されつつ、好ましい実施形態に基づいて本発明が詳細に説明される。
【００１６】
図１に示されたブラケット１は、角筒状の鋼管から形成された本体４と、この本体４の先端部（図中の左端側）４ａ近傍から直角をなして下方に突設された第一係合部５と、本体４の後端部（図中の右端側）４ｂ近傍から直角をなして下方に突設された第二係合部６と、本体４の上面に設けられた第一連結部７と、本体４の後端部４ｂに設けられた第二連結部８とを有している。第一係合部５と第二係合部６とが、ベランダ１００の床部１０２の端縁を把持する。これにより、ブラケット１がベランダ１００に固定される。第一連結部７及び第二連結部８はいずれも、ブラケット１に壁つなぎ２を連結するためのものである。
【００１７】
第一係合部５は、本体４の先端部４ａに嵌着した状態で固定された枠部材９と、この枠部材９に対して上下方向に位置調節可能に取り付けられる係合片１０とを有している。枠部材９は、係合片１０をガイドするものであり、コ字状横断面を有するチャンネル状の部材である。枠部材９には、ボルト１２が螺合しうるナット１３が固着されている。枠部材９には、このナット１３と同軸状に、ボルト孔１４が形成されている。枠部材９は、本体４の先端部４ａに、矩形断面の空間Ｓを画して溶接により固着されている。係合片１０はコ字状横断面を有するチャンネル状の部材である。この係合片１０は、ほとんど遊び無く上記空間Ｓに上下方向に挿通されている。
【００１８】
上記ボルト孔１４を通して、ボルト１２をナット１３に螺入していくと、ボルト１２の先端が、係合片１０を本体４の先端面１１に押圧する。ボルト１２の先端と本体４の先端面１１とによって、係合片１０が挟持される。これにより、係合片１０が、本体４と枠部材９との一体物に固定される。
【００１９】
ボルト１２を緩めることにより、係合片１０が本体４から離脱可能となる。これにより、係合片１０は、本体４及び枠部材９に対して上下方向の位置調節が可能となる。係合片１０の外側面には、上下方向に等間隔をおいて目盛り線Ｍが形成されている。この目盛り線Ｍは、枠部材９に対する係合片１０の最上位置又は最下位置を基準線とされるのが好ましい。
【００２０】
係合片１０の下部であって、第二係合部６に対向する部位には、硬質材料からなる有底円筒状の係止部材１５が取り付けられている。硬質材料としては、炭素鋼、ステンレス鋼等の金属が好ましい。この係止部材１５の開口側端部には、その円周方向に沿って複数箇所の切り欠き部が形成されている。その結果、切り欠き部同士の間の部分（爪部）がベランダ１００に係止しうる。係止部材１５の、ベランダ１００に対する接触面積は小さいものとなる。この係止部材１５の形状、構造は、後述するジョー２０（図２）と同様であるため、ここでは詳細な説明は省略する。また、係止部材としては、図示の構造に代えて、後述するジョー３２（図３）と同様の構成の部材が用いられてもよい。
【００２１】
ブラケット１は、ベランダ１００へ固定される際には、まず、その先端側（第一係合部５側）が、手摺りプレート１０３の下端と床部１０２の上面との間の隙間Ｄ（図５参照）を通してベランダ１００内へ挿入される。隙間Ｄが、足場固定具１の第一係合部５の長さより狭い場合、足場固定具１は、図１から図３に示された状態から９０°回転されて（横倒しにされて）から、隙間Ｄを通過させられる。その後、足場固定具１は、逆向きに９０°回転されて（立て直されて）からベランダ１００に固定される。
【００２２】
図１に示されるように、第二係合部６は、本体４の後端部４ｂに、下方に突出するように固定されたアーム部１６と、このアーム部１６の下端近傍に固定されたナット１７と、このナット１７に螺合される可動当接部材１８とを有している。アーム部１６は、コ字状横断面を有するチャンネル状の部材である。アーム部１６は、本体４の後端部４ｂに嵌着した状態で固定されている。このアーム部１６の長手方向と、上記係合片１０の長手方向とは略平行である。このアーム部１６の、上記ナット１７の雌ねじ孔に一致する部位に、後述のねじ棒１９が挿通される貫通孔が形成されている。上記ナット１７は、その中心軸が本体４の長手方向に略平行である。従って、ナット１７に螺着された可動当接部材１８の長手方向（後述のねじ棒１９の長手方向）は、本体４の長手方向に略平行となる。
【００２３】
図２も併せて参照すれば明らかなように、可動当接部材１８は、雄ねじが形成されたねじ棒１９と、ねじ棒１９の先端１９ａに連結された押圧部（以下、ジョーという）２０とを有している。ねじ棒１９の後端１９ｂには、回転工具の係合用の六角穴付き頭２１が形成されている。ジョー２０は、当接部材１８における枠部材９側に位置している。六角穴付き頭２１は、当接部材１８における枠部材９とは反対側に位置している。
【００２４】
図２には、可動当接部材１８の詳細が示されている。ジョー２０は有底円筒状を呈している。ジョー２０の開口側の端面が、ベランダ１００の床部１０２の端面に当接しうるように配置されている。すなわち、ジョー２０の、開口側の端部が、ベランダ１００への接触部２２を構成する。このジョー２０の接触部２２と、上記係合片１０の係止部材１５とが、ベランダ１００の床部１０２の端部を水平方向に把持することができる。この床部１０２の端部の把持により、ブラケット１がベランダ１００に固定される。
【００２５】
ジョー２０は硬質材料からなる。硬質材料としては、炭素鋼、ステンレス鋼等の金属が好ましい。ジョー２０の開口側端部には、その円周方向に沿って複数箇所の切り欠き部２０ａが形成されている。その結果、切り欠き部２０ａ同士の間の部分（爪部）２０ｂが、実質的に接触部２２を構成している。
【００２６】
ジョー２０の円筒状部分は比較的薄肉であるため、接触部２２は実質的にここで言う線状を呈する。すなわち、その肉厚（接触部２２の幅）は５ｍｍ以下が好ましい。接触部２２が薄板からなるため、ベランダ１００への接触形状はこの薄板の断面の形状を呈する。接触部２２のベランダ１００への接触面積は小さいものとなる。上記切り欠き部２０ａから、ジョー２０の内部に刷毛を挿入することにより、ジョー２０の位置を移動させることなくベランダ１００の外面を塗装することが容易となる。本実施形態では、上記切り欠き部２０ａ及び爪部２０ｂはいずれも、等間隔で３箇所に形成されている。しかし、３箇所には限定されない。２箇所でも４箇所以上でもよい。しかし、刷毛をジョー２０の内部に挿入しうる程度の大きさの切り欠き部が形成されるのが望ましい。上記切り欠き部２０ａに代えて、ジョー２０の円筒状胴部に、刷毛を挿入しうる複数個の窓が開口されてもよい。
【００２７】
ジョー２０は、ねじ棒１９に対し、ねじ棒１９の中心軸回りに回転自在に連結されている。ジョー２０は、ねじ棒１９の先端１９ａに、リベット２３によって連結されている。ジョー２０の底部２０ｃの中心位置には、リベット２３が挿通される貫通孔２４が形成されている。ねじ棒１９の先端１９ａには、その中心軸に沿って、リベット２３が挿入されるリベット用穴２５が形成されている。
【００２８】
リベット２３の軸部２３ａには、その中心軸に垂直な方向にねじ孔２６が形成されている。図示のごとく、ねじ棒１９における、このリベット２３のねじ孔２６に対応する位置に、中心軸に垂直な方向に、リベット用穴２５に連通する連通孔２７が形成されている。この連通孔２７を通して、ストッパー用の止めねじ２８が、上記リベット２３のねじ孔２６に螺着される。止めねじ２８は、その先端部がリベット２３の軸部２３ａの外周面から突出するように螺着される。これにより、止めねじ２８が上記連通孔２７に係止され、リベット２３の抜け止め作用が奏される。
【００２９】
リベット２３の頭２３ｂと、ジョー２０の底部２０ｃの内面との間にはワッシャー２９が介装され、ジョー２０の底部２０ｃの外面とねじ棒１９の先端１９ａとの間にもワッシャー３０が介装されている。ジョー２０がリベット２３によってねじ棒１９に装着された状態で、リベット２３の頭２３ｂとねじ棒１９の先端１９ａとの離間距離は、２枚のワッシャー２９、３０の各肉厚及びジョー２０の肉厚の合計寸法より大きい。この結果、前述のとおり、ジョー２０は、ねじ棒１９に対して、固定されることなく、回転自在に連結されている。ねじ棒１９をねじ込むことにより、前述の係止部材１５とジョー２０とがベランダ１００を挟圧するとき、ねじ棒１９からジョー２０に伝わる回転力は、小さい摩擦力のみである。従って、ジョー２０がベランダ１００の外面を引っ掻くことはない。上記摩擦力をさらに低減するために、ねじ棒１９の先端１９ａ、ワッシャー３０、ジョー２０の外面に、部分球面を形成してもよい。
【００３０】
以上の実施形態では、ねじ棒１９とジョー２０とがリベット２３によって連結されている。しかし、この連結機構には限定されない。ねじ棒１９に対してジョー２０が中心軸回りに回転可能となる他の連結機構をも採用しうる。
【００３１】
図３には、他の可動当接部材３１が示されている。この可動当接部材３１の構成のうち、図２の可動当接部材１８の構成と異なる点は、そのジョー３２である。このジョー３２は、円板３３と、この円板３３の中心を中心にした仮想円周上に等間隔を置いて突設された係止突起３４とを有している。上記円板３３の中心位置には、リベット２３が挿通される貫通孔３５が形成されている。円板３３が回転可能に連結されるねじ棒１９及びリベット２３等は、図２に示される可動当接部材１８のものと同一構成である。したがって、図２の可動当接部材１８の部品と同一構成の部品には、図２におけると同一符号を付し、その説明を省略する。なお、円板３３には限定されず、他の形状を有する板部材が採用されてもよい。また、板状に限定されることもなく、係止突起３４を保持しうる形状であればよい。
【００３２】
本実施形態では、係止突起３４として、ねじ３４が採用されている。ねじ３４の先端は縮径されている。ねじ３４の先端のベランダ１００への接触面は、実質的にここで言う点状を呈する。この先端の接触面の直径は５ｍｍ以下が好ましい。このねじ３４は、円板３３に形成されたねじ孔に螺着された上で、溶接等によって円板３３に固定されている。各ねじ３４の先端は、第一係合部５を向いている。係止突起３４は、ねじには限定されず、円錐状、円錐台状等の棒材であってもよい。
【００３３】
本実施形態では、ねじ３４は３箇所に突設されている。しかし、３箇所には限定されない。２箇所でも４箇所以上でもよい。しかし、ねじ３４は、刷毛をジョー２０の内部に挿入しうる程度の大きさの間隔をおいて形成されるのが望ましい。また、安定性の観点からは、ねじ３４を３箇所以上に突設するのが望ましい。
【００３４】
図１に示されるように、壁つなぎ２連結するための上記第一連結部７は、本体４の上面に立設された取付用ブラケット３６と、この取付用ブラケット３６に固着された連結用ナット３７とを有している。なお、前述した実用新案登録第３１６４３２０号公報に開示されているように、この取付用ブラケット３６を、固定用のボルトナットを用いて、本体４に着脱可能に取り付けてよい。これにより、取付用ブラケット３６は、水平面内の任意角度位置において、本体４に固定されうる。
【００３５】
取付用ブラケット３６における連結用ナット３７の固着部位には、連結用ナット３７の雌ねじ孔に連通する貫通孔が形成されている。この連結用ナット３７に、壁つなぎ２の接続シャフト３が螺合することにより、壁つなぎ２がブラケット１に連結される（図１の二点鎖線による壁つなぎ２参照）。この第一連結部７の連結用ナット３７には、その前方からでも後方からでも壁つなぎ２が螺合されうることは明らかである。
【００３６】
以上説明した第一連結部７は、本体４の上面に設けられている。しかし、かかる構成には限定されない。例えば、第一連結部７は、本体４の側面に設けられてもよい。
【００３７】
本実施形態では、上記の通り、本体４の上面に、壁つなぎ２を連結するための上記第一連結部７が装備されている。しかし、かかる構成には限定されない。例えば、本体４の上面に、前述した実用新案登録第３１６４３２０号公報に開示されているようなパイプクランプ（ここでは図示しない）を備えてもよい。このパイプクランプにより、足場の一部分であるパイプをブラケット１に連結したり、別のパイプを介して足場をブラケット１に連結することができる。また、一端にクランプ部を有する短管状の壁つなぎを把持することもできる。
【００３８】
図１に示されるように、上記第二連結部８は、本体４の後端部４ｂの本体４内部側の面に固着された連結用ナット３８を有している。この連結用ナット３８の中心軸は本体４の長手方向に平行である。本体４の後端部４ｂにおける、連結用ナット３８の固着部位には、連結用ナット３８の雌ねじ孔に連通する貫通孔が形成されている。この連結用ナット３８に、壁つなぎ２の接続シャフト３が螺合することにより、壁つなぎ２がブラケット１に連結される（図１の二点鎖線による壁つなぎ２参照）。
【００３９】
図４には、他のブラケット４１が示されている。このブラケット４１と、図１に示されたブラケット１との相違点は、このブラケット４１が、本体４に対して着脱可能な第三係合部４２をさらに備えている点である。このブラケット４１の、その他の構成は、図１に示すブラケット１の構成と実質的に同じであるため、実質的同一構成の部材には同一符号を付して、その説明を省略する。
【００４０】
第三係合部４２は、上記第二係合部６に後方から被さるように装着される。装着された第三係合部４２は、本体４の後端部４ｂから下方に突出したＬ字状のＬ字アーム部４３と、このＬ字アーム部４３の先端又はその近傍に固定されたナット４４と、このナット４４に螺合される可動当接部材４５とを有している。Ｌ字アーム部４３は、本体４から下方に延びる鉛直アーム部４６と、鉛直アーム部４６から本体４の先端側に向けて水平に延びる水平アーム部４７とを有している。水平アーム部４７の長手方向は、本体４の長手方向と略平行である。上記ナット４４は、水平アーム部４７の先端又はその近傍に固定されている。ナット４４の中心軸は、本体４の長手方向に略直交している。本体４の下面には、複数個の係止突起４８が、水平アーム部４７に向けて突設されている。係止突起４８には限定されず、図２に示されるジョー２０が採用されうる。
【００４１】
上記水平アーム部４７の先端近傍のナット４４に、可動当接部材４５が螺着されている。この可動当接部材４５の構成は、前述した可動当接部材１８の構成と同じであるため、同一構成部材に同一符号を付して、その説明を省略する。ナット４４に螺合された可動当接部材４５の長手方向（ねじ棒１９の長手方向）は、本体４の長手方向に略直交している。可動当接部材４５のジョー２０の接触部２２は、本体４の下面の係止突起４８に対向している。このジョー２０の接触部２２と本体４の係止突起４８とにより、ベランダ１００の床部１０２が、鉛直方向に把持されうる。このブラケット４１によれば、ベランダ１００の床部１０２を、水平方向及び鉛直方向に把持することができる。以上により、ブラケット４１がベランダ１００に固定される。
【産業上の利用可能性】
【００４２】
以上説明された足場固定具は、補修時のみならず、建物の新築時や解体時にも用いられうる。
【符号の説明】
【００４３】
１、４１・・・ブラケット
２・・・壁つなぎ
４・・・本体
５・・・第一係合部
６・・・第二係合部
７・・・第一連結部
８・・・第二連結部
１５・・・係止部材
１８、３１、４５・・・可動当接部材
１９・・・ねじ棒
２０、３２・・・ジョー（押圧部）
２０ａ・・・切り欠き部
２０ｂ・・・爪部
２２・・・接触部
２３・・・リベット
３４・・・ねじ（係止突起）
３７、３８・・・連結用ナット
４２・・・第三係合部
４３・・・Ｌ字アーム部
１００・・・ベランダ
１０２・・・（ベランダの）床部
【要約】
【課題】建物に対して狭い接触面積によって固定されうる足場固定具用のブラケット１の提供。
【解決手段】建物に足場を固定するための足場固定具の一部を構成し、建物に対して着脱可能に固定されうるブラケット１であって、本体４と、この本体４に設けられた、互いに離間した少なくとも一対の係合部５、６であって、それらの間に位置する建物の一部を把持しうるように構成された第一係合部５及び第二係合部６とを備えており、少なくとも一方の係合部が、ねじ回されることによって他方の係合部に離間接近するねじ棒１９と、このねじ棒１９における他方の係合部に対向する位置に装着されたジョー２０とを有しており、このジョー２０が、上記ねじ棒１９に対してその中心軸回りに回転自在に構成され、且つ、上記建物の一部に対して点状又は線状で接触する接触部２２を有している。
【選択図】図１【図１】
0005550795.tif 000002
【図２】
0005550795.tif 000003
【図３】
0005550795.tif 000004
【図４】
0005550795.tif 000005
【図５】
0005550795.tif 000006